(57)【要約】      （修正有）【課題】Ｗ−ＣＤＭＡなどの無線通信システムでの間欠受信におけるＡＦＣ制御の精度を向上することができるＡＦＣ制御方法およびＡＦＣ制御回路を提供することである。【解決手段】受信Ｐａｔｈの相関値に基づき該受信Ｐａｔｈのデータを用いたＡＦＣ制御を行うか否かを決定する。受信ＰａｔｈごとにＰａｔｈの相関による有効性判定の情報を使うことにより、ＡＦＣの制御の基となるデータの信頼性判断の適用タイミングを早くすることができ、その結果、間欠受信中においてもタイムリーにＡＦＣの有効性判定を行うことができ、誤判定を防ぐことでＡＦＣ精度の低下を防ぐことができる。【選択図】図１
2009111703.tif 000002
【特許請求の範囲】
【請求項１】
受信Ｐａｔｈの相関値に基づき該受信Ｐａｔｈのデータを用いたＡＦＣ制御を行うか否かを決定することを特徴とするＡＦＣ制御方法。
【請求項２】
受信Ｐａｔｈの相関値が所定値以上である場合にのみ該受信Ｐａｔｈのデータを用いたＡＦＣ制御を行うか否かを決定することを特徴とするＡＦＣ制御方法。
【請求項３】
Ｗ−ＣＤＭＡ通信システムにおけるＡＦＣ制御を行うことを特徴とする請求項１または２に記載のＡＦＣ制御方法。
【請求項４】
受信Ｐａｔｈの相関値に基づき該受信Ｐａｔｈのデータを用いたＡＦＣ制御を行うか否かを決定するＡＦＣ制御ブロックを備えたことを特徴とするＡＦＣ制御回路。
【請求項５】
受信Ｐａｔｈの相関値が所定値以上である場合にのみ該受信Ｐａｔｈのデータを用いたＡＦＣ制御を行うか否かを決定するＡＦＣ制御ブロックを備えたことを特徴とするＡＦＣ制御回路。
【請求項６】
Ｗ−ＣＤＭＡ通信システムにおけるＡＦＣ制御を行うことを特徴とする請求項４または５に記載のＡＦＣ制御回路。
【請求項７】
受信Ｐａｔｈの相関値に基づき該受信Ｐａｔｈのデータを用いたＡＦＣ制御を行うか否かを決定するＡＦＣ制御ブロックを備えたことを特徴とする無線受信装置。
【請求項８】
受信Ｐａｔｈの相関値が所定値以上である場合にのみ該受信Ｐａｔｈのデータを用いたＡＦＣ制御を行うか否かを決定するＡＦＣ制御ブロックを備えたことを特徴とする無線受信装置。
【請求項９】
Ｗ−ＣＤＭＡ通信システムにおけるＡＦＣ制御を行うことを特徴とする請求項７または８に記載の無線受信装置。
【発明の詳細な説明】
【技術分野】
【０００１】
本発明はＡＦＣ制御方法およびＡＦＣ制御回路に関し、詳しくは、たとえばＷ−ＣＤＭＡなどのシステムで用いるＡＦＣ制御方法およびＡＦＣ制御回路に関する。
【背景技術】
【０００２】
従来、Ｗ−ＣＤＭＡなどの無線通信システムでは、受信装置の受信周波数を通信相手の送信周波数に合わせるために、発振周波数すなわち受信周波数に対してＡＦＣ（Ａｕｔｏｍａｔｉｃ  Ｆｒｅｑｕｅｎｃｙ  Ｃｏｎｔｒｏｌ）制御を行っている。
【０００３】
たとえば、特許文献１には精度の高いＡＦＣ制御方法を提供する発明が開示されている。
【０００４】
従来のＡＦＣ制御方法では、ＡＦＣの信頼性を判断する基準として、ＣＰＩＣＨ（共通パイロットチャネル：Ｃｏｍｍｏｎ  Ｐｉｌｏｔ  Ｃｈａｎｎｅｌ）のＥｃ／Ｎｏや、ＤＣＨ（個別チャネル：Ｄｅｄｉｃａｔｅｄ  Ｃｈａｎｎｅｌ）のＳＩＲ等を使っていた。
【０００５】
特許文献１に記載の発明では、ＡＦＣ制御（ＡＦＣ動作）を間欠動作で行い、発振周波数の周波数ズレがあらかじめ定められた値よりも大きい場合には、ＡＦＣ動作を停止する周期を短くすることによって、精度を高めようとしている。
【０００６】
【特許文献１】特開２００７−１６６６５２号公報
【発明の開示】
【発明が解決しようとする課題】
【０００７】
しかしながら、間欠受信においては、高速移動等で急速に環境が変化する環境において、ＣＰＩＣＨのＥｃ／ＮｏやＤＣＨのＳＩＲ等の判断基準の適用タイミングが古くなることがあり、その結果、信頼性の低いＰａｔｈデータに基づいて位相誤差を計算してしまい、結果としてＡＦＣ制御を精度よくできないという問題点があった。
【０００８】
特許文献１のように、ＡＦＣ動作を停止する周期を短くする方法も有効であるが、本発明では、従来のＣＰＩＣＨのＥｃ／ＮｏやＤＣＨのＳＩＲ等の判断基準とは異なる判断基準によって、ＡＦＣ制御の精度向上を図る。
【０００９】
本発明は上記の点にかんがみてなされたもので、ＡＦＣ制御の精度を向上することができるＡＦＣ制御方法およびＡＦＣ制御回路を提供することを目的とする。
【課題を解決するための手段】
【００１０】
上記課題を解決するにあたり、本発明は、受信Ｐａｔｈの相関値に基づき該受信Ｐａｔｈのデータを用いたＡＦＣ制御を行うか否かを決定することを特徴とする。
【００１１】
本発明は、受信ＰａｔｈごとにＰａｔｈの相関による有効性判定の情報を使うことにより、ＡＦＣの制御の基となるデータの信頼性判断の適用タイミングを早くすることができ、その結果、間欠受信中においてもタイムリーにＡＦＣの有効性判定を行うことができ、誤判定を防ぐことでＡＦＣ精度の低下を防ぐことができる。
【発明の効果】
【００１２】
本発明によれば、ＡＦＣ制御の精度を向上することができるＡＦＣ制御方法およびＡＦＣ制御回路を提供することができる。
【００１３】
本発明では、有効Ｐａｔｈ判定の結果を遅滞なくＡＦＣ計算に適用することにより、ＡＦＣ誤判定をなくし、ＡＦＣの精度が向上する。
【発明を実施するための最良の形態】
【００１４】
以下、本発明の実施の形態について図面を参照して詳細に説明する。
【００１５】
なお、本実施の形態では、通信方式としてＷ−ＣＤＭＡ（広帯域符号分割多重接続：Ｗｉｄｅｂａｎｄ  Ｃｏｄｅ  Ｄｉｖｉｓｉｏｎ  Ｍｕｌｔｉｐｌｅ  Ａｃｃｅｓｓ）を用いる場合を例にして説明する。
【実施例１】
【００１６】
図１は、本発明の一実施の形態に係る実施例１における受信装置のＡＦＣ制御回路に関する構成の概略を示すブロック図である。
【００１７】
この受信装置では、まず、受信信号に対して、コード同定ブロック１にて符号化のコード（符号）同定を行う。次に、同定した情報に基づいてピークプロファイル生成ブロック２にてピークプロファイルを生成し、Ｐａｔｈ相関値計算ブロック３にて各受信Ｐａｔｈの相関値を計算する。
【００１８】
その後、位相差検出ブロック４にて位相差すなわち位相誤差の検出が行われ、ＡＦＣ制御ブロック５にてＡＦＣ制御が行われる。
【００１９】
次に、実施例１の受信装置の動作について図面を参照しながら説明する。
【００２０】
図２は、図１に示した受信装置の動作を示すフロチャートである。
【００２１】
受信装置は、まず、コード同定ブロック１にて、受信信号に対してのコード同定を行う（Ａ−１）。
【００２２】
次に、同定した情報に基づいてピークプロファイル生成ブロック２にてピークプロファイルを作成し（Ａ−２）、Ｐａｔｈ相関値計算ブロック３にて各Ｐａｔｈのピーク相関値を計算する（Ａ−３）。
【００２３】
また、Ｐａｔｈ相関値計算ブロック３では、Ｐａｔｈごとの有効度が判定される（Ａ−４）。この判定は、たとえば、そのＰａｔｈのピーク相関値が所定値以上であれば有効であるとされ、その所定値に満たなければ無効であるとされる。
【００２４】
ステップ（Ａ−４）の判定の結果、すべてのＰａｔｈが無効であるかが判断され（Ａ−５）、すべてのＰａｔｈが無効の場合には、受信回路の動作上、位相差検出ブロック４にて、所定の１つのＰａｔｈについてＰａｔｈ設定（Ａ−９）および位相差計算（Ａ−１０）はされるものの、ＡＦＣ制御はされずに処理を終了する。
【００２５】
一方、ステップ（Ａ−５）の判断において、すべてのＰａｔｈが無効というわけではないすなわち１つでも有効なＰａｔｈがある場合には、位相差検出ブロック４にて、その有効なＰａｔｈについてＰａｔｈ設定（Ａ−６）および位相差計算（Ａ−７）がされ、その位相差に基づき、ＡＦＣ制御ブロック５にてＡＦＣ制御がされる（Ａ−８）。
【００２６】
ＡＦＣ制御ブロック５は、Ｐａｔｈ相関値計算ブロック３からＰａｔｈの信頼度すなわち無効か有効かの情報を得、位相差検出ブロック４からＰａｔｈごとの位相差を得る。有効なＰａｔｈではない場合には、そのデータをＡＦＣ計算に適用しないように、ＡＦＣ制御を実施する。
【実施例２】
【００２７】
図３は、本発明の一実施の形態に係る実施例２における受信装置のＡＦＣ制御回路に関する構成の概略を示すブロック図である。
【００２８】
この受信装置では、まず、受信信号に対して、コード同定ブロック１１にて符号化のコード（符号）同定を行う。次に、同定した情報に基づいてピークプロファイル生成ブロック１２にてピークプロファイルを生成し、Ｐａｔｈ相関値計算ブロック１３にて各受信Ｐａｔｈの相関値を計算する。
【００２９】
その後、位相差検出ブロック１４にて位相差すなわち位相誤差の検出が行われ、ＡＦＣ制御ブロック１５にてＡＦＣ制御が行われる。
【００３０】
次に、実施例２の受信装置の動作について図面を参照しながら説明する。
【００３１】
図４は、図３に示した受信装置の動作を示すフロチャートである。
【００３２】
受信装置は、まず、コード同定ブロック１１にて、受信信号に対してのコード同定を行う（Ｂ−１）。
【００３３】
次に、同定した情報に基づいてピークプロファイル生成ブロック１２にてピークプロファイルを作成し（Ｂ−２）、Ｐａｔｈ相関値計算ブロック１３にて各Ｐａｔｈのピーク相関値を計算する（Ｂ−３）。
【００３４】
また、Ｐａｔｈ相関値計算ブロック１３では、Ｐａｔｈごとの有効度が判定される（Ｂ−４）。この判定は、たとえば、そのＰａｔｈのピーク相関値が所定値以上であれば有効であるとされ、その所定値に満たなければ無効であるとされる。
【００３５】
続いて、位相差検出ブロック４にて、有効であろうと無効であろうとすべてのＰａｔｈについてＰａｔｈ設定（Ｂ−５）および位相差計算（Ｂ−６）がされ、有効なＰａｔｈについては、その位相差に基づき、ＡＦＣ制御ブロック５にてＡＦＣ制御がされる（Ｂ−７）。
【００３６】
ＡＦＣ制御ブロック５は、位相差検出ブロック４からＰａｔｈの信頼度すなわち無効か有効かの情報を得、また、位相差検出ブロック４からＰａｔｈごとの位相差を得る。有効なＰａｔｈではない場合には、そのデータをＡＦＣ計算に適用しないように、ＡＦＣ制御を実施する。
【００３７】
なお、本発明は上述した実施の形態に限定されるものではなく、本発明の主旨を逸脱しない範囲で種々の変更を施すことが可能であることはいうまでもない。
【図面の簡単な説明】
【００３８】
【図１】本発明の一実施の形態に係る実施例１における受信装置のＡＦＣ制御回路に関する構成の概略を示すブロック図である。
【図２】図１に示した受信装置の動作を示すフロチャートである。
【図３】本発明の一実施の形態に係る実施例２における受信装置のＡＦＣ制御回路に関する構成の概略を示すブロック図である。
【図４】図３に示した受信装置の動作を示すフロチャートである。
【符号の説明】
【００３９】
１、１１  コード同定ブロック
２、１２  ピークプロファイル生成ブロック
３、１３  Ｐａｔｈ相関値計算ブロック
４、１４  位相差検出ブロック
５、１５  ＡＦＣ制御ブロック
【図１】
2009111703.tif 000003
【図２】
2009111703.tif 000004
【図３】
2009111703.tif 000005
【図４】
2009111703.tif 000006